(57)【要約】【解決手段】電源と電力負荷との間に夫々接続されている第１及び第２電力線の間に接続される開閉器の両側の電圧を検出する検出装置と、前記開閉器の両側の電圧差が減少するように、前記第１及び第２電力線の少なくとも一方における無効電力及び有効電力の少なくとも一方を調整する電力調整装置を、前記検出装置の検出結果に応じて制御する制御装置と、を備える。【選択図】  図１
2014225976.tif 000002
【特許請求の範囲】
【請求項１】
電源と電力負荷との間に夫々接続されている第１及び第２電力線の間に接続される開閉器の両側の電圧を検出する検出装置と、
前記開閉器の両側の電圧差が減少するように、前記第１及び第２電力線の少なくとも一方における無効電力及び有効電力の少なくとも一方を調整する電力調整装置を、前記検出装置の検出結果に応じて制御する制御装置と、
を備えたことを特徴とする配電系統の潮流制御装置。
【請求項２】
前記電力調整装置は、
前記第１電力線の有効電力及び無効電力を調整する第１電力調整装置と、
前記第２電力線の有効電力及び無効電力を調整する第２電力調整装置と、を有し、
前記第１及び第２電力線夫々の有効電力及び無効電力と前記開閉器の両側の電圧差との関係を示す関係式と、前記検出装置の検出結果と、に基づいて、前記第１及び第２電力調整装置に対して定められている調整範囲内において前記開閉器の両側の電圧差が最小となるように、前記第１及び第２電力調整装置夫々の有効電力及び無効電力の調整量を算出する演算装置、を更に備え、
前記制御装置は、前記演算装置の演算結果に基づいて前記第１及び第２電力調整装置を制御する
ことを特徴とする請求項１に記載の配電系統の潮流制御装置。
【請求項３】
前記第１及び第２電力線の少なくとも一方における前記開閉器が接続されている位置よりも前記電源側には、電圧のレベルを調整する電圧調整装置が、更に設けられ、
前記制御装置は、前記開閉器の両側の電圧差が減少するように、前記検出装置の検出結果に応じて前記電圧調整装置を前記電力調整装置とともに制御する
ことを特徴とする請求項１に記載の配電系統の潮流制御装置。
【請求項４】
前記第１及び第２電力線の少なくとも一方におけるリアクタンスを調整するリアクタンス調整装置が、更に設けられ、
前記制御装置は、前記開閉器の両側の電圧差が減少するように、前記検出装置の検出結果に応じて前記リアクタンス調整装置を前記電力調整装置とともに制御する
ことを特徴とする請求項１に記載の配電系統の潮流制御装置。
【請求項５】
電源と電力負荷との間に夫々接続されている第１及び第２電力線の間に接続される開閉器の両側の電圧を検出する検出装置と、
前記第１及び第２電力線の少なくとも一方における無効電力及び有効電力の少なくとも一方を調整する電力調整装置と、
前記開閉器の両側の電圧差が減少するように、前記検出装置の検出結果に応じて前記電力調整装置を制御する制御装置と、
を備えたことを特徴とする配電系統の潮流制御システム。
【請求項６】
前記電力調整装置は、
前記第１電力線の有効電力及び無効電力を調整する第１電力調整装置と、
前記第２電力線の有効電力及び無効電力を調整する第２電力調整装置と、を有し、
前記第１及び第２電力線夫々の有効電力及び無効電力と前記開閉器の両側の電圧差との関係を示す関係式と、前記検出装置の検出結果と、に基づいて、前記第１及び第２電力調整装置に対して定められている調整範囲内において前記開閉器の両側の電圧差が最小となるように、前記第１及び第２電力調整装置夫々の有効電力及び無効電力の調整量を算出する演算装置、を更に備え、
前記制御装置は、前記演算装置の演算結果に基づいて前記第１及び第２電力調整装置を制御する
ことを特徴とする請求項５に記載の配電系統の潮流制御システム。
【請求項７】
電源と電力負荷との間に夫々接続されている第１及び第２電力線の間に接続される開閉器の両側の電圧を検出する第１ステップと、
前記開閉器の両側の電圧差が減少するように、前記第１及び第２電力線の少なくとも一方における無効電力及び有効電力の少なくとも一方を調整する電力調整装置を、前記第１ステップでの検出結果に応じて制御する第２ステップと、を含む
ことを特徴とする配電系統の潮流制御方法。
【請求項８】
配電系統の潮流制御装置に、
電源と電力負荷との間に夫々接続されている第１及び第２電力線の間に接続される開閉器の両側の電圧を検出する第１機能と、
前記開閉器の両側の電圧差が減少するように、前記第１及び第２電力線の少なくとも一方における無効電力及び有効電力の少なくとも一方を調整する電力調整装置を、前記第１機能での検出結果に応じて制御する第２機能と、
を実現させるプログラム。
【発明の詳細な説明】
【技術分野】
【０００１】
本発明は、配電系統の潮流制御装置、配電系統の潮流制御システム、配電系統の潮流制御方法、プログラムに関する。
【背景技術】
【０００２】
例えば、電源から電力が供給され、開閉器を介して互いに接続される第１電力線及び第２電力線を有する配電系統が知られている（例えば特許文献１）。又、例えば、配電系統に設けられている複数の電力線の接続先を切り換えるための複数の開閉器を制御するための制御情報を算出する演算装置が知られている（例えば特許文献２）。
【先行技術文献】
【特許文献】
【０００３】
【特許文献１】特開２００１―２５１７６５号公報
【特許文献２】特開２００５―１１７７８７号公報
【発明の概要】
【発明が解決しようとする課題】
【０００４】
例えば、特許文献１の配電系統においては、第１電力線に分散型電源が接続されており、当該分散型電源から供給される電力により開閉器の両側における電圧差が比較的大きくなることがある。又、例えば、特許文献２の演算装置においては、開閉器の両側における電圧差に関わらず、複数の開閉器を制御するための制御情報が算出されている。従って、開閉器が投入された際に開閉器の両側における電圧差に基づいて比較的大きな値の投入電流が発生し、第１及び第２電力線に接続されている機器に対して投入電流が供給されることにより、当該機器の損傷等が引き起こされる虞がある。
【課題を解決するための手段】
【０００５】
前述した課題を解決する主たる本発明は、電源と電力負荷との間に夫々接続されている第１及び第２電力線の間に接続される開閉器の両側の電圧を検出する検出装置と、前記開閉器の両側の電圧差が減少するように、前記第１及び第２電力線の少なくとも一方における無効電力及び有効電力の少なくとも一方を調整する電力調整装置を、前記検出装置の検出結果に応じて制御する制御装置と、を備えたことを特徴とする配電系統の潮流制御装置である。
【０００６】
本発明の他の特徴については、添付図面及び本明細書の記載により明らかとなる。
【発明の効果】
【０００７】
本発明によれば、第１及び第２電力線の間に接続される開閉器の両側の電圧差を減少させることができる。
【図面の簡単な説明】
【０００８】
【図１】本発明の第１実施形態における配電系統を示す図である。
【図２】本発明の第１実施形態における電圧差と投入時の電流との関係を示す図である。
【図３】本発明の第１実施形態における第１電圧と第２電圧とを示す図である。
【図４】本発明の第１及び第２実施形態における制御装置の機能を示すブロック図である。
【図５】本発明の第１実施形態における配電線の電圧を示す図である。
【図６】本発明の第１実施形態における制御量決定部の動作を示すフローチャートである。
【図７】本発明の第１実施形態における制御装置の動作を示すフローチャートである。
【図８】本発明の第２実施形態における配電系統を示す図である。
【発明を実施するための形態】
【０００９】
本明細書および添付図面の記載により、少なくとも以下の事項が明らかとなる。
【００１０】
[第１実施形態]
＝＝＝配電系統＝＝＝
以下、図１を参照して、本実施形態における配電系統について説明する。図１は、本実施形態における配電系統を示す図である。尚、発電機１０１は、母線Ｌ１００に対して複数接続されているが、図１においては、説明の便宜上１個の発電機１０１として示されている。
【００１１】
配電系統１００は、発電所（不図示）に設けられている発電機１０１（電源）で発電された電力を電力負荷Ｒ１、Ｒ２に供給するたるための電力系統である。
【００１２】
配電系統１００は、送電線Ｌ１１、Ｌ２１、配電線Ｌ１２、Ｌ２２、電力線Ｌ１３、Ｌ２３、母線Ｌ１００、変圧器Ｔｒ１、Ｔｒ２、開閉器ＳＷ１を有する。尚、配電線Ｌ１２及び電力線Ｌ１３が第１電力線に相当し、配電線Ｌ２２及び電力線Ｌ２３が第２電力線に相当する。尚、配電線Ｌ１２、Ｌ２２を夫々、第１配電線、第２配電線とも称する。
【００１３】
母線Ｌ１００は、発電機１０１から電力が供給される電力線である。尚、母線Ｌ１００には、発電機１０１が直接接続されていても、送電線（不図示）を介して間接的に接続されていてもよい。
【００１４】
送電線Ｌ１１、Ｌ２１は、発電機１０１から供給される電力を下流側に送電するための電力線である。送電線Ｌ１１の上流側の一端は、接続点Ｃ１１において母線Ｌ１００と接続され、送電線Ｌ１１の下流側の他端は、変圧器Ｔｒ１の一次側に接続される。送電線Ｌ２１の上流側の一端は、接続点Ｃ２１において母線Ｌ１００と接続され、送電線Ｌ２１の下流側の他端は、変圧器Ｔｒ２の一次側に接続される。
【００１５】
変圧器Ｔｒ１、Ｔｒ２は、一次側の電圧を所定の変圧比で変圧して、当該変圧された電圧を二次側から出力する装置である。変圧器Ｔｒ１、Ｔｒ２の変圧比は、例えば６６キロボルトを６．６キロボルトに変換する変圧比に設定されている。
【００１６】
配電線Ｌ１２、Ｌ２２は夫々、変圧器Ｔｒ１、Ｔｒ２から供給される電力を下流側の電力負荷Ｒ１、Ｒ２に供給するための電力線である。配電線Ｌ１２の上流側の一端は、変圧器Ｔｒ１の二次側に接続され、配電線Ｌ１２の下流側の他端は、電力負荷Ｒ１が設けられている下流側に向かってのびている。配電線Ｌ２２の上流側の一端は、変圧器Ｔｒ２の二次側に接続され、配電線Ｌ２２の下流側の他端は、電力負荷Ｒ２が設けられている下流側に向かってのびている。
【００１７】
開閉器ＳＷ１は、配電線Ｌ１２と配電線Ｌ２２とを電気的に接続したり、配電線Ｌ１２と配電線Ｌ２２とを電気的に遮断したりするための装置である。開閉器ＳＷ１の一方の接点は、電力線Ｌ１３を介して配電線Ｌ１２の接続点Ｃ１２に接続される。開閉器ＳＷ１の他方の接点は、電力線Ｌ２３を介して配電線Ｌ２２の接続点Ｃ２２に接続される。つまり、開閉器ＳＷ１は、配電線Ｌ１２、Ｌ２２の間に接続されていることになる。
【００１８】
配電系統１００は、制御装置２、発電装置３、４、蓄電装置６（電力調整装置、第２電力調整装置）、ＵＰＦＣ７（電力調整装置、第１電力調整装置、電圧調整装置）、第１測定装置Ｍ１、第２測定装置Ｍ２、電力負荷Ｒ１、Ｒ２を更に有する。尚、第１測定装置Ｍ１及び第２測定装置Ｍ２が、検出装置に相当する。第１測定装置Ｍ１、第２測定装置Ｍ２及び制御装置２が配電系統の潮流制御装置に相当する。又、ＵＰＦＣ７、蓄電装置６、ＴＣＳＣ９Ｂ、制御装置２、第１測定装置Ｍ１及び第２測定装置Ｍ２が、配電系統の潮流制御システムに相当する。
【００１９】
電力負荷Ｒ１、Ｒ２は夫々、配電線Ｌ１２の接続点Ｃ１３、配電線Ｌ２２の接続点Ｃ２３に接続され、制御信号Ｓ８、Ｓ９により電力の消費量を抑制することが可能な例えば街灯等を含む電力負荷である。
【００２０】
発電装置３は、電力負荷Ｒ１に対して電力を供給するために配電線Ｌ１２に接続される例えば太陽光発電装置等の分散型電源である。発電装置３は、パワーコンディショナ３１、太陽電池３２を有する。太陽電池３２は、太陽光に基づいて発電を行う。パワーコンディショナ３１は、太陽電池３２で発電された電力を直流から交流に変換したり、制御信号Ｓ３に基づいて発電装置３から出力される電力の量を調整（抑制）したりする装置である。
【００２１】
発電装置４は、発電装置３と同様な構成の例えば太陽光発電装置等の分散型電源である。発電装置４のパワーコンディショナ４１、太陽電池４２の構成は夫々、パワーコンディショナ３１、太陽電池３２の構成と同様である。つまり、パワーコンディショナ４１は、制御信号Ｓ４に基づいて発電装置４から出力される電力の量を調整（抑制）する。
【００２２】
第１測定装置Ｍ１は、第１測定装置Ｍ１が設けられている位置の電圧及び電圧の位相と、電流及び電流の位相とを測定し、測定結果を示す第１測定信号Ｓ１を出力する装置である。第１測定装置Ｍ１は、電力線Ｌ１３における開閉器ＳＷ１の近傍に設けられる。
【００２３】
第２測定装置Ｍ２は、第２測定装置Ｍ２が設けられている位置の電圧及び電圧の位相と、電流及び電流の位相とを測定し、測定結果を示す第２測定信号Ｓ２を出力する装置である。第２測定装置Ｍ２は、電力線Ｌ２３における開閉器ＳＷ１の近傍に設けられる。つまり、第１測定装置Ｍ１及び第２測定装置Ｍ２は、開閉器ＳＷ１の両側の電圧を測定（検出）している。
【００２４】
ＵＰＦＣ（Unified Power Flow Controller）７は、配電線Ｌ１２の電圧を調整するための直列補償装置である。ＵＰＦＣ７は、配電線Ｌ１２における接続点Ｃ１２よりも上流側（発電機１０１側）に接続される。蓄電装置６は、配電線Ｌ２２の電圧を調整するための装置である。尚、ＵＰＦＣ７、蓄電装置６の詳細については、後述する。
【００２５】
制御装置２は、配電系統１００の監視及び制御を行う装置である。尚、制御装置２の詳細については、後述する。
【００２６】
＝＝＝過渡現象＝＝＝
以下、図２を参照して、本実施形態における過渡現象について説明する。図２は、本実施形態における電圧差と投入時の電流との関係を示す図である。図２における横軸は電圧差ΔＶの値（大きさ）を示し、縦軸は開閉器ＳＷ１を投入したときに開閉器ＳＷ１に供給される電流値を示している。
【００２７】
電圧差ΔＶは、開閉器ＳＷ１が遮断されているときの、配電線Ｌ１２の第１電圧Ｖｒ１と配電線Ｌ２２の第２電圧Ｖｒ２との差に応じて定まる電圧差である。尚、開閉器ＳＷ１が遮断されるとは、開閉器ＳＷ１がＯＦＦ（開）とされ、電力線Ｌ１３と電力線Ｌ２３とが電気的に遮断されることを示す。
【００２８】
開閉器ＳＷ１が投入された直後に開閉器ＳＷ１に供給される電流（「投入時の電流」又は「投入電流」とも称する）は、電圧差ΔＶに応じて定まる。尚、開閉器ＳＷ１が投入されるとは、開閉器ＳＷ１がＯＮ（閉）とされ、電力線Ｌ１３と電力線Ｌ２３とが電気的に接続されることを示す。
【００２９】
ここで、配電系統１００の点検等の際に、電力負荷Ｒ２への電力の供給を維持するために開閉器ＳＷ１が投入されて、配電線Ｌ１２と配電線Ｌ２２とが連系（接続）されることがある。開閉器ＳＷ１が投入されたとき、母線Ｌ１００、送電線Ｌ１１、変圧器Ｔｒ１、配電線Ｌ１２、電力線Ｌ１３、開閉器ＳＷ１、電力線Ｌ２３、配電線Ｌ２２、変圧器Ｔｒ２、送電線Ｌ２１を含むループが形成されて、当該ループ内を流れる投入電流Ｉｒ１又は投入電流Ｉｒ２が発生する。尚、投入電流Ｉｒ１、Ｉｒ２は夫々、同様な値（大きさ）であり、向きが反対の投入電流である。説明の便宜上、投入電流Ｉｒ１が発生することとして説明する。
【００３０】
＜投入電流Ｉｒ１と電圧差ΔＶ＞
投入電流Ｉｒ１の値（図２）は、電圧差ΔＶの値に応じて定まる。電圧差ΔＶの値が大きくなるにつれて、投入電流Ｉｒ１の値は大きくなる。例えば、電圧差ΔＶの値が第１閾値Ｖｔ１よりも大きい第２範囲における電流曲線Ｚ１の傾きは、電圧差ΔＶの値が第１閾値Ｖｔ１よりも小さい第１範囲における電流曲線Ｚ１の傾きよりも大きくなる。電流曲線Ｚ１の傾きは、例えば配電系統１００に設けられている変圧器Ｔｒ１、Ｔｒ２の電気特性等に応じて定まる。尚、第１閾値Ｖｔ１は、例えば変圧器Ｔｒ１、Ｔｒ２の定格等に基づいて定まる。
【００３１】
＜投入電流Ｉｒ１と過渡現象＞
電圧差ΔＶが第１範囲内となっている場合、投入電流Ｉｒ１の値は、電流値Ｉｔ１の値よりも小さくなる。この場合、投入電流Ｉｒ１が変圧器Ｔｒ１、Ｔｒ２に供給されたとしても、変圧器Ｔｒ１、Ｔｒ２が投入電流Ｉｒ１によって損傷することはないものとする。つまり、電圧差ΔＶが第１範囲内となっているときの投入電流Ｉｒ１の値は、変圧器Ｔｒ１、Ｔｒ２の定格を超えない値になる。
【００３２】
一方、電圧差ΔＶが第２範囲内となっている場合、投入電流Ｉｒ１の値は、電流値Ｉｔ１の値よりも大きくなる。この場合、投入電流Ｉｒ１が変圧器Ｔｒ１、Ｔｒ２に供給された場合、変圧器Ｔｒ１、Ｔｒ２が投入電流Ｉｒ１によって損傷する虞があるものとする。つまり、電圧差ΔＶが第２範囲内となっているときの投入電流Ｉｒ１の値は、変圧器Ｔｒ１、Ｔｒ２の定格を超えた値になる。そして、電流値Ｉｔ１よりも大きい値の投入電流Ｉｒ１は、開閉器ＳＷ１が投入されたときから所定期間供給され続けることになる。電流値Ｉｔ１よりも大きい値の投入電流Ｉｒ１が供給（発生）されることを、過渡現象とも称する。尚、電流値Ｉｔ１は、例えば、変圧器Ｔｒ１、Ｔｒ２の仕様等を示す情報を含む情報に基づく配電系統１００に関するシミュレーション等により定まることとしてもよい。
【００３３】
ここで、配電系統１００には、発電装置３、４が設けられているために、発電装置３、４の発電電力に依っては、投入前の電圧差ΔＶの値が大きくなり、過渡現象が比較的発生しやすくなることがある。尚、投入前の電圧差ΔＶの値が大きくなるとは、開閉器ＳＷ１が投入される前における電圧差ΔＶの値が増大することをいう。
そこで、配電系統１００については、過渡現象が発生しないように制御する必要がある。
【００３４】
＝＝＝第１電圧と第２電圧との電圧差＝＝＝
以下、図３を参照して、本実施形態における第１電圧と第２電圧との電圧差について説明する。図３は、本実施形態における第１電圧と第２電圧とを示す図である。尚、図３においては、送出電圧Ｖｓ、第１電圧Ｖｒ１及び第２電圧Ｖｒ２がベクトルとして示され、電圧差ΔＶがスカラーとして示されている。
【００３５】
送出電圧Ｖｓは、送電線Ｌ１１における接続点Ｃ１１の電圧、及び、送電線Ｌ２１における接続点Ｃ２１の電圧である。尚、送電線Ｌ１１における接続点Ｃ１１の電圧、送電線Ｌ２１における接続点Ｃ２１の電圧は夫々同様な電圧であることとする。
【００３６】
第１電圧Ｖｒ１は、配電線Ｌ１２における接続点Ｃ１２の電圧に応じた電圧であり、電力線Ｌ１３の電圧である。
【００３７】
第２電圧Ｖｒ２は、配電線Ｌ２２における接続点Ｃ２２の電圧に応じた電圧であり、電力線Ｌ２３の電圧である。尚、第２電圧Ｖｒ２と第１電圧Ｖｒ１は、例えば、電力負荷Ｒ１、Ｒ２の電力の消費量の相違、発電装置３、４から出力される電力の値の相違等により異なる電圧となっている。
【００３８】
電圧差ΔＶは、第１電圧Ｖｒ１のベクトルと第２電圧Ｖｒ２のベクトルとの差に応じて定まる。つまり、電圧差ΔＶは、第１電圧Ｖｒ１及び第２電圧Ｖｒ２の大きさ（レベル）、及び、第１電圧Ｖｒ１及び第２電圧Ｖｒ２の位相に応じて定まることになる。
【００３９】
送電線Ｌ１１、Ｌ２１、配電線Ｌ１２、Ｌ２２を集中定数回路で模擬した場合、第１電圧Ｖｒ１及び第２電圧Ｖｒ２は式１により表わされる。  
2014225976.tif 000003
【００４０】
尚、Ｖｒは、第１電圧Ｖｒ１又は第２電圧Ｖｒ２を示している。又、Ｘ、Ｒは夫々、送電線Ｌ１１、変圧器Ｔｒ１、配電線Ｌ１２、電力線Ｌ１３（「第１系統」とも称する）のリアクタンス、第１系統の電気抵抗、又は、送電線Ｌ２１、変圧器Ｔｒ２、配電線Ｌ２２、電力線Ｌ２３（「第２系統」とも称する）のリアクタンス、第２系統の電気抵抗を示している。Ｑｒ、Ｐｒは夫々、第１系統の無効電力、第１系統の有効電力、又は、第２系統の無効電力、第２系統の有効電力を示している。
【００４１】
配電系統１００における例えば２回線の配電線Ｌ１２、Ｌ２２に供給される潮流が、全系統の潮流に対して十分に小さいと仮定した場合、式１を式２及び式３で近似することができる。尚、全系統とは、発電機１０１から電力が供給される配電系統全体を示すものとする。
2014225976.tif 000004
2014225976.tif 000005
尚、δは、第１位相角δ１又は第２位相角δ２を示している。
【００４２】
ここで図３より、電圧差ΔＶは、式４により表わされる。
2014225976.tif 000006
【００４３】
|δ1-δ2|＜＜1とした場合、式４は、式５のように近似される。
2014225976.tif 000007
【００４４】
つまり、電圧差ΔＶは、位相差δ１−δ２、第１電圧Ｖｒ１の値（大きさ、レベル）、第２電圧Ｖｒ２の値（大きさ、レベル）等に応じて定まることになる。
【００４５】
＝＝＝ＵＰＦＣ＝＝＝
以下、図１を参照して、本実施形態におけるＵＰＦＣについて説明する。
【００４６】
＜ＵＰＦＣの機能＞
ＵＰＦＣ７は、第１電圧Ｖｒ１を調整するために、配電線Ｌ１２の有効電力及び無効電力を調整する装置である。ＵＰＦＣ７は、制御信号Ｓ７に基づいて有効電力及び無効電力を調整する。
【００４７】
ＵＰＦＣ７は、更に、制御信号Ｓ７に基づいて、第１電圧Ｖｒ１を調整するために配電線Ｌ１２の電圧のレベルを調整する。
【００４８】
＜調整範囲＞
ＵＰＦＣ７における有効電力に関する制御量としての有効電力制御量ΔＰ７（調整量）及び無効電力に関する制御量としての無効電力制御量ΔＱ７（調整量）は、式６及び式７に示される条件を満たす範囲（調整範囲）内において設定することができる。
2014225976.tif 000008
2014225976.tif 000009
【００４９】
尚、式６における負は、配電線Ｌ１２における有効電力を減少させることに対応し、正は、配電線Ｌ１２における有効電力を増加させることに対応する。式７におけるS７min、Ｓ７maxは、皮相電力の値に対応する。限界値＋Ｐ７、−Ｐ７、S７min、Ｓ７maxは、ＵＰＦＣ７の定格等に基づいて定まる。
【００５０】
＝＝＝蓄電装置＝＝＝
以下、図１を参照して、本実施形態における蓄電装置について説明する。
【００５１】
＜蓄電装置の機能＞
蓄電装置６は、第２電圧Ｖｒ２を調整するために、配電線Ｌ２２の有効電力及び無効電力を調整する装置である。蓄電装置６は、制御信号Ｓ６に基づいて有効電力及び無効電力を調整する。蓄電装置６は、充放電装置６１、蓄電池６２を有する。
【００５２】
充放電装置６１は、蓄電池６２への充放電により配電線Ｌ２２の有効電力及び無効電力を調整したり、交流及び直流の変換を行ったりする装置である。蓄電池６２は、充放電装置６１を介して配電線Ｌ２２に接続される。
【００５３】
＜調整範囲＞
蓄電装置６における有効電力に関する制御量としての有効電力制御量ΔＰ６（調整量）及び無効電力に関する制御量としての無効電力制御量ΔＱ６（調整量）は、式８及び式９に示される条件を満たす範囲（調整範囲）内において設定することができる。
2014225976.tif 000010
2014225976.tif 000011
【００５４】
尚、式８における負は、配電線Ｌ２２における有効電力を減少させることに対応し、正は、配電線Ｌ２２における有効電力を増加させることに対応する。式９におけるS６min、Ｓ６maxは、皮相電力の値に対応する。限界値＋Ｐ６、−Ｐ６、S６min、Ｓ６maxは、蓄電池６２の電池容量等の定格等に基づいて定まる。つまり、ＵＰＦＣ７の調整量と蓄電装置６の調整量は、ＵＰＦＣ７及び蓄電装置６毎に定まっている。
【００５５】
＝＝＝制御装置＝＝＝
以下、図１、図４及び図５を参照して、本実施形態における制御装置について説明する。図４は、本実施形態における制御装置の機能を示すブロック図である。図５は、本実施形態における配電線の電圧を示す図である。
【００５６】
図５においては、配電線Ｌ１２の各位置にける電圧が示されている。図５における横軸は配電線Ｌ１２の各位置を示し、縦軸は各位置における電圧を示している。図５の電圧曲線Ｚ２は、配電線Ｌ１２における上流側の端部からＵＰＦＣ７までの電圧の値を示している。電圧曲線Ｚ３、Ｚ４は、配電線Ｌ１２におけるＵＰＦＣ７よりも下流側の電圧を示している。電圧曲線Ｚ４は、ＵＰＦＣ７においてレベルの調整が行われていないときの配電線Ｌ１２の電圧を示している。電圧曲線Ｚ３は、ＵＰＦＣ７においてレベルの調整が行われたときの配電線Ｌ１２の電圧を示している。電圧曲線Ｚ３は、ＵＰＦＣ７が配電線Ｌ１２の電圧のレベルを上昇させたときの配電線Ｌ１２の電圧を示している。
【００５７】
制御装置２は、配電系統１００の監視及び制御を行う装置であり、例えば配電系統１００の制御を行うための制御所に設けられている。具体的には、制御装置２は、配電線Ｌ１２、Ｌ２２の潮流と、配電線Ｌ１２の電圧のレベルとを調整するための装置である。尚、配電線Ｌ１２の潮流とは、配電線Ｌ１２の有効電力及び無効電力の流れのことである。又、配電線Ｌ２２の潮流とは、配電線Ｌ１２の潮流と同様に、配電線Ｌ２２の有効電力及び無効電力の流れのことである。
【００５８】
制御装置２は、入力部２１、表示部２２、通信部２３、記憶部２４、近似式生成部２５、制御量決定部２６、判定部２７、制御部２８を有する。尚、近似式生成部２５及び制御量決定部２６が、演算装置に相当する。
【００５９】
入力部２１は、制御装置２に対して情報を入力するための例えばキーボード、マウス等である。
表示部２２は、情報を表示するための例えば液晶ディスプレイである。
【００６０】
通信部２３は、発電装置３、４、蓄電装置６、ＵＰＦＣ７、第１測定装置Ｍ１、第２測定装置Ｍ２、電力負荷Ｒ１、Ｒ２（「各機器」とも称する）との間で通信を行う。尚、制御装置２は、各機器との間で通信できるように例えば通信ネットワーク（不図示）を介して各機器と接続されている。
記憶部２４は、例えば、第１の領域２４１、第２の領域２４２、第３の領域２４３を有する。
【００６１】
第１の領域２４１には、制御装置２を統括制御するための第１プログラム、及び、配電系統１００の制御量を決定するための第２プログラムが記憶されている。
【００６２】
第２の領域２４２には、閾値情報が記憶されている。閾値情報は、第２閾値Ｖｔ２（図２）を示す情報である。第２閾値Ｖｔ２は、第１範囲内の値である。つまり、第２閾値Ｖｔ２は、第１閾値Ｖｔ１よりも小さい閾値である。
【００６３】
第３の領域２４３には、上限値情報及び下限値情報が記憶されている。尚、上限値情報、下限値情報は夫々、配電線Ｌ１２における電圧の上限値Ｖｔ１２（図５）、配電線Ｌ１２における電圧の下限値Ｖｔ１１を示す情報である。上限値Ｖｔ１２及び限値Ｖｔ１１は、例えば電力負荷Ｒ１の定格等に応じて定まる値である。尚、上限値Ｖｔ１２及び限値Ｖｔ１１は、予め定められていることとしてもよいし、シミュレーション等によって求められることとしてもよい。配電系統１００においては、配電線Ｌ１２の電圧の値が上限値Ｖｔ１２と下限値Ｖｔ１１との間の値となるように制御される。
【００６４】
近似式生成部２５は、配電系統１００の制御量を決定するための近似式を生成する。尚、近似式生成部２５によって算出された近似式を示す情報は、第３の領域２４３に記憶されることとしてもよい。近似式生成部２５については後述する。
【００６５】
制御量決定部２６は、近似式生成部２５によって生成された近似式、又は、第３の領域２４３に記憶されている情報に示される近似式に基づいて、配電系統１００の制御量を決定する。尚、制御量決定部２６については後述する。
【００６６】
判定部２７は、電圧差ΔＶが第２閾値Ｖｔ２より小さいか否かを判定する。尚、電圧差ΔＶは、第１測定信号Ｓ１に示される情報及び第２測定信号Ｓ２に示される情報及び式４等に基づいて、判定部２７によって算出されることとしてもよい。尚、例えば、電圧差ΔＶは、判定部２７以外の電圧差演算部（不図示）によって算出されることとしてもよい。そして、この電圧差演算部は制御装置２に設けられていることとしてもよい。又、第１測定装置Ｍ１及び第２測定装置Ｍ２が互いに通信可能となっており、前述の電圧差演算部が第１測定装置Ｍ１又は第２測定装置Ｍ２の少なくとも一方に設けられていることとしてもよい。
制御部２８は、第１プログラムに基づいて制御装置２を統括制御する。
【００６７】
＝＝＝近似式生成部＝＝＝
以下、図１及び図３を参照して、本実施形態における近似式生成部について説明する。
【００６８】
近似式生成部２５は、配電系統１００の制御量を決定するための近似式を生成する。近似式生成部２５は、入力部２１から入力される配電系統１００に関する情報に基づいて近似式（式２０）を生成する。尚、配電系統１００に関する情報とは、例えば第１系統におけるリアクタンス、電気抵抗、第２系統におけるリアクタンス、電気抵抗等を示す情報である。
【００６９】
＜電圧差ΔＶと第１電圧Ｖｒ１及び第２電圧Ｖｒ２との関係式＞
近似式生成部２５は、式５より式１０を生成する。
2014225976.tif 000012
【００７０】
＜式１０の右辺第１項について＞
近似式生成部２５は、式１０における右辺第１項を、送出電圧Ｖｓ、第１系統のリアクタンスＸ１、第２系統のリアクタンスＸ２、第１系統の電気抵抗Ｒ１、第２系統の電気抵抗Ｒ２、第１系統の有効電力Ｐｒ１、第１系統の無効電力Ｑｒ１、第２系統の有効電力Ｐｒ２、第２系統の無効電力Ｑｒ２を用いて近似する。
【００７１】
具体的には、近似式生成部２５は、式２から式１１を生成する。尚、式１１は、電圧Ｖｒが高め解となるように生成される。つまり、式１１は、式２から求められる解のうち値が大きい方の解が導出されるように生成される。
2014225976.tif 000013
【００７２】
近似式生成部２５は、テイラー展開に基づく式１２に示される近似式を用いて、式１１より式１３を生成する。
2014225976.tif 000014
2014225976.tif 000015
【００７３】
近似式生成部２５は、式１３に基づいて式１４を生成する。
2014225976.tif 000016
【００７４】
＜式１０の右辺第２項について＞
近似式生成部２５は、式１０における右辺第２項を、送出電圧Ｖｓ、第１系統のリアクタンスＸ１、第２系統のリアクタンスＸ２、第１系統の電気抵抗Ｒ１、第２系統の電気抵抗Ｒ２、第１系統の有効電力Ｐｒ１、第１系統の無効電力Ｑｒ１、第２系統の有効電力Ｐｒ２、第２系統の無効電力Ｑｒ２を用いて近似する。
【００７５】
具体的には、近似式生成部２５は、式３から式１５を生成する。
2014225976.tif 000017
【００７６】
近似式生成部２５は、式１０の右辺第２項について式１５に基づいて、式１６を生成する。
2014225976.tif 000018
【００７７】
近似式生成部２５は、テイラー展開に基づく式１７及び式１８に示される近似式を用いて、式１６から式１９を生成する。
2014225976.tif 000019
2014225976.tif 000020
2014225976.tif 000021
【００７８】
＜式１０の近似式について＞
近似式生成部２５は、式１０、式１４、式１９に基づいて、式２０を生成する。
2014225976.tif 000022
【００７９】
式２０（関係式）においては、第１系統のリアクタンスＸ１、第２系統のリアクタンスＸ２、第１系統の電気抵抗Ｒ１及び第２系統の電気抵抗Ｒ２（「第１及び第２系統のインピーダンス」とも称する）、第１系統の有効電力Ｐｒ１、第１系統の無効電力Ｑｒ１、第２系統の有効電力Ｐｒ２及び第２系統の無効電力Ｑｒ２（「第１及び第２系統の電力」とも称する）と、電圧差ΔＶとの関係が示されている。つまり、式２０においては、第１及び第２系統の電力の調整により電圧差ΔＶの調整が可能である点、及び、第１及び第２系統のインピーダンスの調整により電圧差ΔＶの調整が可能である点が示されている。
近似式生成部２５は、式２０を示す情報を第３の領域２４３に記憶する。
【００８０】
＝＝＝制御量決定部＝＝＝
以下、図１及び図６を参照して、本実施形態における制御量決定部について説明する。図６は、本実施形態における制御量決定部の動作を示すフローチャートである。
【００８１】
＜制御量決定部２６の機能＞
制御量決定部２６は、式５等に基づいて、ＵＰＦＣ７における電圧のレベルに関する制御量としての電圧制御量ΔＶ７を決定する。又、制御量決定部２６は、式２０等に基づいて、有効電力制御量ΔＰ６、ΔＰ７及び無効電力制御量ΔＱ６、ΔＱ７（「電力に関する制御量」とも称する）を決定する。
【００８２】
＝電圧制御量ΔＶ７の決定＝
制御量決定部２６は、電圧差ΔＶが減少し、且つ、配電線Ｌ１２の電圧の値が下限値Ｖｔ１１（図５）以上且つ上限値Ｖｔ１２となり、且つ、電圧制御量ΔＶ７がＵＰＦＣ７の電圧調整範囲内となるように、電圧制御量ΔＶ７を決定する。尚、ＵＰＦＣ７においては、ＵＰＦＣ７の例えば定格等の仕様等に基づいて、電圧調整範囲が定められていることとする。
【００８３】
＝電力に関する制御量の決定＝
制御量決定部２６は、式６乃至式９に示される条件（「制約条件」とも称する）を満たし、且つ、式２０における左辺に示される電圧差ΔＶの２乗が最小となるように、有効電力制御量ΔＰ６、ΔＰ７、無効電力制御量ΔＱ６、ΔＱ７を決定する。尚、電力に関する制御量の決定については、後述する。
【００８４】
＜制御量決定部２６の動作＞
制御量決定部２６は、第２プログラムの実行により動作する。
【００８５】
＝電圧に関する制御量の決定＝
制御量決定部２６は、前述のように、電圧制御量ΔＶ７を決定する（ステップＳｔ１１）。制御量決定部２６は、第１測定信号Ｓ１に示される情報（「第１潮流情報」とも称する）及び第２測定信号Ｓ２に示される情報（「第２潮流情報」とも称する）と、配電系統１００に関する情報と、電圧制御量ΔＶ７等に基づいて、電圧制御量ΔＶ７が反映された後の電圧差ΔＶとしての第２電圧差ΔＶ２を例えばシミュレーション等により算出する（ステップＳｔ１２）。
【００８６】
制御量決定部２６は、第２電圧差ΔＶ２の値が第２閾値Ｖｔ２よりも小さいか否かを判断する（ステップＳｔ１３）。第２電圧差ΔＶ２の値が第２閾値Ｖｔ２よりも小さいと判断した場合（ステップＳｔ１３のＹＥＳ）、制御量決定部２６は、動作を終了する。一方、第２電圧差ΔＶ２の値が第２閾値Ｖｔ２よりも小さくない（大きい）と判断した場合（ステップＳｔ１３のＮＯ）、制御量決定部２６は、電力に関する制御量を決定する。
【００８７】
＝電力に関する制御量等の決定＝
具体的には、制御量決定部２６は、式２０における左辺に示される電圧差ΔＶの２乗が最小となる第１系統の有効電力Ｐｒ１５、第１系統の無効電力Ｑｒ１５、第２系統の有効電力Ｐｒ２５、第２系統の無効電力Ｑｒ２５を算出する（ステップＳｔ１４）。制御量決定部２６は、例えば２次計画法等を用いてステップＳｔ１４の演算を行うこととしてもよい。尚、ステップＳｔ１４の演算においては、例えば、第１及び第２系統のインピーダンスは一定とされていることとする。
【００８８】
制御量決定部２６は、現時点の第１系統の有効電力Ｐｒ１４、現時点の第１系統の無効電力Ｑｒ１４、現時点の第２系統の有効電力Ｐｒ２４、現時点の第２系統の無効電力Ｑｒ２４を、例えば第１潮流情報及び第２潮流情報等に基づいて算出する（ステップＳｔ１５）。制御量決定部２６は、この算出結果と、ステップＳｔ１４における算出結果との差分に基づいて、電力に関する制御量を算出する。例えば、制御量決定部２６は、ステップＳｔ１４において算出された第１系統の有効電力Ｐｒ１５に対する、現時点の第１系統の有効電力Ｐｒ１４の差分値を有効電力制御量ΔＰ７とする。制御量決定部２６は、有効電力制御量ΔＰ７と同様に、有効電力制御量ΔＰ６、無効電力制御量ΔＱ６、Ｑ７を算出する。
【００８９】
制御量決定部２６は、ステップＳｔ１５において算出された電力に関する制御量が、制約条件を満たすか否かを判断する（ステップＳｔ１６）。電力に関する制御量が制約条件を満たさないと判断した場合（ステップＳｔ１６のＮＯ）、制御量決定部２６は、ステップＳｔ１４及びＳｔ１５の動作の後、再度、ステップＳｔ１６の判断を行う。尚、ステップＳｔ１４の再算出結果は、例えば直近の算出結果とは異なる結果となることとしてもよい。
【００９０】
一方、電力に関する制御量が制約条件を満たすと判断した場合（ステップＳｔ１６のＹＥＳ）、制御量決定部２６は、制約条件を満たすと判断された電力に関する制御量を、電力に関する制御量に決定する（ステップＳｔ１７）。
【００９１】
尚、電力に関する制御量等の決定の前に、電圧制御量ΔＶ７が決定されているので、電力に関する制御量を比較的小さく抑えることが可能となる。
【００９２】
制御量決定部２６は、ステップＳｔ１１で決定された電圧制御量ΔＶ７と、ステップＳｔ１７で決定された電力に関する制御量とが反映された後の電圧差ΔＶとしての第３電圧差ΔＶ３を、ステップＳｔ１２の動作と同様な動作により算出する（ステップＳｔ１８）。
【００９３】
制御量決定部２６は、第３電圧差ΔＶ３の値が第２閾値Ｖｔ２よりも小さいか否かを判断する（ステップＳｔ１９）。第３電圧差ΔＶ３の値が第２閾値Ｖｔ２よりも小さいと判断した場合（ステップＳｔ１９のＹＥＳ）、制御量決定部２６は、動作を終了する。一方、第３電圧差ΔＶ３の値が第２閾値Ｖｔ２よりも小さくない（大きい）と判断した場合（ステップＳｔ１９のＮＯ）、制御量決定部２６は、発電装置３の発電抑制量ΔＰ３、発電装置４の発電抑制量ΔＰ４、電力負荷Ｒ１の消費抑制量ΔＰ８、電力負荷Ｒ１の消費抑制量ΔＰ９を決定した後（ステップＳｔ２０）、動作を終了する。尚、ステップＳｔ２０においては、消費抑制量ΔＰ８、ΔＰ９が最小となるように各抑制量が決定されることとする。
【００９４】
＝＝＝制御装置の動作＝＝＝
以下、図１及び図７を参照して、本実施形態における制御装置の動作について説明する。図７は、本実施形態における制御装置の動作を示すフローチャートである。
【００９５】
制御装置２は、第１プログラムの実行により動作する。
制御装置２は、投入命令を受信したか否かを判断する（ステップＳｔ３１）。投入命令とは、開閉器ＳＷ１を投入するための命令である。投入命令は、例えば配電系統１００の管理作業を行う作業者による入力部２１への入力に基づいて、制御装置２が受信することとする。投入命令を受信していないと判断した場合（ステップＳｔ３１のＮＯ）、制御装置２は、ステップＳｔ３１の判断を再度行う。
【００９６】
一方、投入命令を受信したと判断した場合（ステップＳｔ３１のＹＥＳ）、制御装置２は、現時点の電圧差ΔＶを算出する。制御装置２の判定部２７は、現時点の電圧差ΔＶが第２閾値Ｖｔ２より小さいか否かを判断（判定）する（ステップＳｔ３２）。
【００９７】
電圧差ΔＶが第２閾値Ｖｔ２より小さいと判断した場合（ステップＳｔ３２のＹＥＳ）、制御装置２は、投入信号Ｓ１０を出力した（ステップＳｔ３３）後、動作を終了する。投入信号Ｓ１０は、開閉器ＳＷ１に送信される。開閉器ＳＷ１は、投入される。
【００９８】
一方、電圧差ΔＶが第２閾値Ｖｔ２より小さくないと判断した場合（ステップＳｔ３２のＮＯ）、制御装置２は、前述したように制御量決定部２６が各制御量及び各抑制量を決定する（ステップＳｔ３４）。制御装置２は、ステップＳｔ３４で決定された制御量に応じて各機器が制御されるように、各制御量を示す各制御信号を出力する（ステップＳｔ３５）。各機器は、各制御信号に示されている各制御量又は各抑制量に基づいて配電系統１００を制御する。つまり、各機器は、電圧差ΔＶが第２閾値Ｖｔ２より小さくなるように、配電系統１００を制御する。
【００９９】
制御装置２は、現時点の電圧差ΔＶが第２閾値Ｖｔ２より小さいか否かを再度判断する（ステップＳｔ３６）。電圧差ΔＶが第２閾値Ｖｔ２より小さいと判断した場合（ステップＳｔ３６のＹＥＳ）、制御装置２は、投入信号Ｓ１０を出力した（ステップＳｔ３３）後、動作を終了する。開閉器ＳＷ１は、投入信号Ｓ１０を受信して投入されることになる。
【０１００】
一方、電圧差ΔＶが第２閾値Ｖｔ２より小さくないと判断した場合（ステップＳｔ３６のＮＯ）、制御装置２は、ステップＳｔ３４、Ｓｔ３５の動作の後、ステップＳｔ３６の判断を再度行う。
【０１０１】
[第２実施形態]
＝＝＝配電系統＝＝＝
本実施形態における配電系統１００Ｂは、第１実施形態における配電系統１００において、ＳＴＡＴＣＯＭ５Ｂ及びＴＣＳＣ９Ｂを追加し、制御装置２を制御装置２Ｂに変更したものである。配電系統１００ＢにおけるＳＴＡＴＣＯＭ５Ｂ、ＴＣＳＣ９Ｂ、制御装置２Ｂ以外の構成は、配電系統１００の構成と同様である。
【０１０２】
以下、図８を参照して、本実施形態における配電系統について説明する。図８は、本実施形態における配電系統を示す図である。
【０１０３】
配電系統１００Ｂ（配電系統）は、ＳＴＡＴＣＯＭ（Static synchronous Compensator）５Ｂ、ＴＣＳＣ（Thyristor Controlled Series Capacitors）９Ｂ、制御装置２Ｂを有する。尚、制御装置２Ｂ、第１測定装置Ｍ１及び第２測定装置Ｍ２が、配電系統の潮流制御装置に相当する。又、ＳＴＡＴＣＯＭ５Ｂ、ＵＰＦＣ７、蓄電装置６、ＴＣＳＣ９Ｂ、制御装置２Ｂ、第１測定装置Ｍ１及び第２測定装置Ｍ２が、配電系統の潮流制御システムに相当する。
【０１０４】
ＳＴＡＴＣＯＭ５Ｂは、配電線Ｌ１２の無効電力を調整ための装置である。ＳＴＡＴＣＯＭ５Ｂは、制御信号Ｓ５に基づいて無効電力を調整する。
ＴＣＳＣ９Ｂ（リアクタンス調整装置）は、配電線Ｌ２２のリアクタンスを調整するための装置である。ＴＣＳＣ９Ｂは、制御信号Ｓ１１に基づいてリアクタンスを調整する。
【０１０５】
＝＝＝制御装置＝＝＝
制御装置２Ｂは、配電系統１００Ｂを制御するための装置である。制御装置２Ｂは、制御量決定部２６Ｂを有する。制御装置２Ｂにおける制御量決定部２６Ｂ以外の構成は、制御装置２（第１実施形態）の構成と同様であることとする。
【０１０６】
制御量決定部２６Ｂは、ＳＴＡＴＣＯＭ５Ｂにおける無効電力制御量ΔＱ５、ＴＣＳＣ９Ｂにおけるリアクタンス制御量ΔＸを決定する。尚、制御量決定部２６Ｂにおける無効電力制御量ΔＱ５及びリアクタンス制御量ΔＸを決定する構成以外の構成は、制御量決定部２６（第１実施形態）の構成と同様であることとする。
【０１０７】
制御量決定部２６Ｂは、式２０における左辺に示される電圧差ΔＶの２乗が最小となる第１系統の有効電力Ｐｒ１５、第１系統の無効電力Ｑｒ１５、第２系統の有効電力Ｐｒ２５、第２系統の無効電力Ｑｒ２５とともに、第２系統のリアクタンスＸ２５を算出する。その後、制御量決定部２６Ｂは、現時点の第２系統のリアクタンスＸ２４に対する第２系統のリアクタンスＸ２５の差分値を、リアクタンス制御量ΔＸに決定する。又、制御量決定部２６Ｂは、ステップＳｔ１５で算出された電力に関する制御量のうちの無効電力に関する制御量の一部を無効電力制御量ΔＱ５に決定する。
【０１０８】
制御装置２Ｂは、ステップ３５と同様な動作を行うときに、リアクタンス制御量ΔＸを示す制御信号Ｓ１１、無効電力制御量ΔＱ５を示す制御信号Ｓ５を出力する。ＳＴＡＴＣＯＭ５Ｂ、ＴＣＳＣ９Ｂは夫々、制御信号Ｓ５、Ｓ１１に基づいて配電系統１００Ｂを制御する。つまり、ＳＴＡＴＣＯＭ５Ｂ、ＴＣＳＣ９Ｂは、電圧差ΔＶが第２閾値Ｖｔ２より小さくなるように、配電系統１００Ｂを制御する。
【０１０９】
前述したように、開閉器ＳＷ１は、発電機１０１と電力負荷Ｒ１、Ｒ２との間に夫々接続されている配電線Ｌ１２、Ｌ２２の間に接続される。第１測定装置Ｍ１及び第２測定装置Ｍ２は、開閉器ＳＷ１における両側の電圧を検出する。制御装置２の制御部２８は、開閉器ＳＷ１における両側の電圧差ΔＶが減少するように、ＵＰＦＣ７及び蓄電装置６を、第１測定装置Ｍ１の測定結果（検出結果）と第２測定装置Ｍ２の測定結果（検出結果）とに応じて制御する。尚、ＵＰＦＣ７は、配電線Ｌ１２の無効電力及び有効電力を調整する装置であり、蓄電装置６は、配電線Ｌ２２の無効電力及び有効電力を調整する装置である。従って、開閉器ＳＷ１における両側の電圧差ΔＶを減少させることができる。よって、投入電流Ｉｒ１の値を電流値Ｉｔ２（図２）よりも小さくすることができる。尚、電流値Ｉｔ２は、電流値Ｉｔ１よりも小さい電流値である。つまり、電圧差ΔＶを減少させることにより、投入電流Ｉｒ１の値を電流値Ｉｔ２よりも小さくすることにより、過渡現象の発生を抑制することができる。
【０１１０】
又、式２０（関係式）は、配電線Ｌ１２、Ｌ２２夫々の無効電力及び有効電力と、電圧差ΔＶとの関係を示している。制御量決定部２６は、第１測定装置Ｍ１の測定結果と、第２測定装置Ｍ２の測定結果と、式２０とに基づいて、有効電力制御量ΔＰ６、ΔＰ７、無効電力制御量ΔＱ６、ΔＱ７を決定（算出）する。制御量決定部２６は、有効電力制御量ΔＰ６、ΔＰ７、無効電力制御量ΔＱ６、ΔＱ７が調整範囲内となり、且つ、式２０における電圧差ΔＶが最小となるように、各制御量を決定（算出）する。従って、ＵＰＦＣ７及び蓄電装置６における電圧差ΔＶを減少させるための能力（有効電力制御量ΔＰ６、ΔＰ７、無効電力制御量ΔＱ６、ΔＱ７）を十分に利用することが可能となる。よって、電圧差ΔＶを確実に減少させることにより、過渡現象の発生を確実に抑制することができる。
【０１１１】
又、ＵＰＦＣ７は、配電線Ｌ１２における開閉器ＳＷ１が接続されている位置（接続点Ｃ１２）よりも発電機１０１側に設けられる。ＵＰＦＣ７は、配電線Ｌ１２の電圧のレベルを調整する。制御装置２の制御部２８は、開閉器ＳＷ１における両側の電圧差ΔＶが減少するように、第１測定装置Ｍ１の測定結果及び第２測定装置Ｍ２の測定結果に応じて、ＵＰＦＣ７及び蓄電装置６を制御する。よって、配電線Ｌ１２、Ｌ２２夫々の有効電力及び無効電力に加えて、配電線Ｌ１２の電圧のレベルを調整することにより、電圧差ΔＶを更に減少させて、過渡現象の発生を抑制することができる。
【０１１２】
又、ＴＣＳＣ９Ｂ（図８）は、配電線Ｌ２２のリアクタンスを調整する。制御装置２Ｂは、開閉器ＳＷ１における両側の電圧差ΔＶが減少するように、第１測定装置Ｍ１の測定結果及び第２測定装置Ｍ２の測定結果に応じて、ＴＣＳＣ９Ｂを、蓄電装置６及びＵＰＦＣ７等と共に制御する。よって、配電線Ｌ１２、Ｌ２２夫々の有効電力及び無効電力に加えて、配電線Ｌ２２のリアクタンスを調整することにより、電圧差ΔＶを更に減少させて、過渡現象の発生を抑制することができる。
【０１１３】
尚、上記第１及び第２実施形態は、本発明の理解を容易にするためのものであり、本発明を限定して解釈するためのものではない。本発明は、その趣旨を逸脱することなく、変更、改良され得るとともに、本発明にはその等価物も含まれる。
【０１１４】
第１実施形態においては、ステップＳｔ１４（図６）の演算において、制御量決定部２６が、式２０における左辺に示される電圧差ΔＶの２乗が最小となる第１系統の有効電力Ｐｒ１５、第１系統の無効電力Ｑｒ１５、第２系統の有効電力Ｐｒ２５、第２系統の無効電力Ｑｒ２５（「各電力」とも称する）を算出することについて説明したが、これに限定されるものではない。例えば、電圧差ΔＶの値が第２閾値Ｖｔ２（図２）よりも小さくなる各電力を、制御量決定部２６が算出することとしてもよい。
【０１１５】
又、第１実施形態においては、配電線Ｌ１２の電圧のレベルがＵＰＦＣ７によって調整されることについて説明したが、これに限定されるものではない。例えば、配電線Ｌ１２における接続点Ｃ１２よりも上流側にＳＶＲ（Step Voltage Regulator）が設けられ、当該ＳＶＲによって配電線Ｌ１２の電圧のレベルが調整されることとしてもよい。
【０１１６】
又、第１実施形態においては、配電系統１００に対して、ＵＰＦＣ７及び蓄電装置６が設けられることについて説明したが、これに限定されるものではない。例えば、配電系統１００に対して、ＵＰＦＣ７、蓄電装置６、ＳＴＡＴＣＯＭ５Ｂ、ＴＣＳＣ９Ｂのうち少なくとも１の装置が、配電線Ｌ１２、Ｌ２２のうち少なくとも一方に設けられることとしてもよい。
【０１１７】
又、第１実施形態においては、ＵＰＦＣ７が配電線Ｌ１２の有効電力及び無効電力の双方を調整することについて説明したが、これに限定されるものではない。例えば、ＵＰＦＣ７が配電線Ｌ１２の有効電力又は無効電力の一方を制御することとしてもよい。
【０１１８】
又、第１実施形態においては、蓄電装置６が配電線Ｌ２２の有効電力及び無効電力の双方を調整することについて説明したが、これに限定されるものではない。例えば、蓄電装置６が配電線Ｌ２２の有効電力又は無効電力の一方を制御することとしてもよい。
【０１１９】
又、第１実施形態においては、式２０が近似式生成部２５によって生成されることについて説明したが、これに限られるものではない。例えば、式２０を示す情報が入力部２１から入力されることとしてもよい。
【０１２０】
又、第１実施形態においては、発電装置３、４が太陽光発電装置であることについて説明したが、これに限定されるものではない。例えば、発電装置３、４が風力発電装置等の太陽光発電装置以外の分散型電源であることとしてもよい。
【０１２１】
又、第１実施形態においては、蓄電池の有効電力制御量ΔＰ６（調整量）の限界値として、蓄電池の充電量に基づき算出した値を用いてもよい。つまり、式８における限界値＋Ｐ６、−Ｐ６が、蓄電池６２の充電量に基づいて定められることとしてもよい。
【０１２２】
又、第２実施形態においては、ＴＣＳＣ９Ｂが電源側に接続されてリアクタンス調整装置として利用すると説明したが、これに限定されるものではない。例えば、ＴＣＳＣ９Ｂが末端側に接続されて無効電力調整装置として利用しても良い。つまり、ＴＣＳＣ９Ｂが、配電線Ｌ２２における接続点Ｃ２２よりも下流側に設けられていることとしてもよい。
【０１２３】
又、第１実施形態の制御装置２・開閉器ＳＷ１・第１計測装置Ｍ１・第２計測装置Ｍ２と蓄電装置６またはＵＰＦＣ７は一体の装置として構成されていてもよい。
【０１２４】
又、第１配電線に接続されている装置と第２配電線に接続されている装置とが直流送電で有効電力を融通する装置であってもよいし、ループコントローラであってもよい。
【０１２５】
又、第１実施形態においては、母線Ｌ１００が配電系統１００の一部であることについて説明したが、これに限られるものではない。例えば、母線Ｌ１００が、配電系統１００に対して電力を供給するための送電系統の一部であることとしてもよい。
【符号の説明】
【０１２６】
２、２Ｂ                          制御装置
３、４                            発電装置
６                                蓄電装置
７                                ＵＰＦＣ
２５                              近似式生成部
２６                              制御量決定部
２８                              制御部
１００、１００Ｂ                  配電系統
１０１                            発電機
Ｌ１２、Ｌ２２                    配電線
Ｒ１、Ｒ２                        電力負荷
ＳＷ１                            開閉器
【図１】
2014225976.tif 000023
【図２】
2014225976.tif 000024
【図３】
2014225976.tif 000025
【図４】
2014225976.tif 000026
【図５】
2014225976.tif 000027
【図６】
2014225976.tif 000028
【図７】
2014225976.tif 000029
【図８】
2014225976.tif 000030